(57)【要約】  【課題】  データファイリング機能を有した画像処理装置にデータ消去機能を有するデータセキュリティキットを付加した場合にも、データセキュリティキットの機能を有効に機能させる。  【解決手段】  画像データを記憶するハードディスク１２と、このハードディスク１２が記憶している画像データをコピー用紙に記録して画像を形成する画像形成部６とを備え、ハードディスク１２が記憶している画像データを画像形成部６で画像形成した後にもハードディスク１２にそのまま記憶させておいて再使用可能に画像データを操作するデジタル複合機２０であって、機器制御部８がハードディスク１２が記憶している画像データの上述のような本来の操作を変更することができるようにした。【選択図】        図６
2004282717.tif 000002
【特許請求の範囲】
【請求項１】
画像データを記憶する画像データ記憶手段と、
画像データをファイリング機能により入力して前記画像データ記憶手段に記憶させる操作、また前記画像データ記憶手段が記憶している画像データを読み出して出力させる操作を行なう画像データ操作手段と、
該画像データ操作手段が出力した画像データを画像処理する画像処理手段と
を備えた画像処理装置において、
前記画像データ記憶手段が記憶している画像データに対する前記画像データ操作手段による操作を制限する画像データ保護手段を更に備え、
該画像データ保護手段が動作している場合は、前記画像データ操作手段による画像データの操作が制限されるようにしてあることを特徴とする画像処理装置。
【請求項２】
画像データを一時記憶する画像データ記憶手段と、
該画像データ記憶手段が記憶している画像データを読み出して画像処理する画像処理手段と、
前記画像データ記憶手段に記憶されている画像データを、該画像データが前記画像処理手段により画像処理された場合に、前記画像データ記憶手段に記憶させておくように操作する画像データ操作手段と
を備えた画像処理装置において、
前記画像データ操作手段による画像データの操作を変更する操作変更手段を備えたことを特徴とする画像処理装置。
【請求項３】
前記操作変更手段は、入力された画像データを暗号化して前記画像データ記憶手段に記憶させ、該画像データ記憶手段に記憶させた暗号化された画像データを復号化して前記画像処理手段に与えるようにしてあることを特徴とする請求項２に記載の画像処理装置。
【請求項４】
データを暗号化する暗号化手段と、
該暗号化手段で暗号化されたデータを復号化する復号化手段とを備え、
前記操作変更手段は、入力された画像データを暗号化手段に与え、該暗号化手段が暗号化した画像データを前記画像データ記憶手段に記憶させ、該画像データ記憶手段に記憶させた暗号化された画像データを復号化手段に与え、該復号化手段が復号化した画像データを前記画像処理手段に与えるようにしてあることを特徴とする請求項２に記載の画像処理装置。
【請求項５】
前記暗号化手段及び前記復号化手段は着脱が可能であり、
前記操作変更手段は、前記暗号化手段及び前記復号化手段が装備されている場合、入力された画像データを暗号化手段に与え、該暗号化手段が暗号化した画像データを前記画像データ記憶手段に記憶させ、該画像データ記憶手段に記憶させた暗号化された画像データを復号化手段に与え、該復号化手段が復号化した画像データを前記画像処理手段に与えるようにしてあることを特徴とする請求項４に記載の画像処理装置。
【請求項６】
前記操作変更手段は、前記暗号化手段及び前記復号化手段が装備されている場合、前記画像処理手段によって画像処理された画像データを前記画像データ記憶手段から消去するようにしてあることを特徴とする請求項５に記載の画像処理装置。
【請求項７】
前記操作変更手段は、前記画像データ記憶手段が記憶している画像データを該画像データが前記画像処理手段により画像処理された場合にランダムデータに置換するようにしてあることを特徴とする請求項２に記載の画像処理装置。
【請求項８】
前記操作変更手段は、前記画像データ記憶手段が記憶している画像データを強制的に消去するようにしてあることを特徴とする請求項２に記載の画像処理装置。
【請求項９】
前記操作変更手段は、前記画像データ記憶手段が記憶している画像データを、該画像データが前記画像処理手段により画像処理された場合に強制的に消去するようにしてあることを特徴とする請求項８に記載の画像処理装置。
【請求項１０】
前記操作変更手段は、前記画像データ記憶手段が記憶している全ての画像データを強制的に消去するようにしてあることを特徴とする請求項８に記載の画像処理装置。
【請求項１１】
前記操作変更手段は、前記画像処理手段により画像処理されるべき画像データを前記画像データ記憶手段に一時的に記憶させ、該画像データが前記画像処理手段により画像処理された場合に前記画像データ記憶手段から消去すべくなしてあることを特徴とする請求項２に記載の画像処理装置。
【請求項１２】
前記操作変更手段の作動又は停止を切換える切換手段を備えることを特徴とする請求項２乃至１１の何れかひとつに記載の画像処理装置。
【請求項１３】
前記画像処理手段は、画像データを記録媒体に記録して画像を形成するようにしてあることを特徴とする請求項２乃至１２の何れかひとつに記載の画像処理装置。
【請求項１４】
前記画像処理手段は、画像データをファクシミリ通信により外部へ送信するようにしてあることを特徴とする請求項２乃至１２の何れかひとつに記載の画像処理装置。
【請求項１５】
前記画像処理手段は、画像データをデータ通信により外部へ送信するようにしてあることを特徴とする請求項２乃至１２の何れかひとつに記載の画像処理装置。
【発明の詳細な説明】
【技術分野】
【０００１】
本発明は、スキャナ等の画像読み取り部、ＬＡＮ、インターネット等の通信回線を介して入力された画像データを一旦記憶し、記憶してある画像データをコピー用紙等の記録媒体に記録したり、ファクシミリ通信により外部へ送信したり、更にはデータ通信により外部へ送信したりして画像処理するための画像処理装置に関し、特に一旦記憶した画像データのセキュリティの向上を図った画像処理装置に関する。
【背景技術】
【０００２】
従来、複写する原稿を光学的に走査して画像データとして読み取り、その画像データを記憶媒体に一旦記憶し、その記憶媒体から任意の原稿の画像データを所望の部数に対応する回数反復して読み出し、コピー用紙にプリントアウトする電子ファイリング機能を備えた画像処理装置が知られている（たとえば、特許文献１参照）。
【０００３】
このような電子ファイリング機能を備えた画像処理装置では、たとえばＦＡＴ（File Allocation Table)により、画像データを格納する際の記憶媒体上の格納位置の指定及び画像データを読み出す際の記憶媒体上の格納位置の指定等を管理している。ＦＡＴによれば、記憶媒体に格納される情報毎に情報番号が割り当てられ、この情報番号によってＦＡＴの参照値が決定されることにより、各画像データの記憶媒体上の格納位置が特定される。
【０００４】
ＦＡＴは、管理対象の画像データのプリントアウトが終了する都度、更新される。また、ＦＡＴの内容が消去されるかまたは更新されることにより、ＦＡＴにより特定される記憶媒体に記憶されている画像データの画像処理装置による読み出しは不可能になる。従って、ＦＡＴを使用することにより、情報漏洩の虞が少なくなると共に、画像データのセキュリティが確保される。
【０００５】
しかし、近年の情報処理技術の進展及び普及に伴って、ＦＡＴの内容が消去されているかまたは更新されている場合においても、記憶媒体（たとえばハードディスク等）に記憶されている画像データそのものが消去されていない限りは、たとえば悪意のある第三者が記憶媒体（たとえばハードディスク等）そのものを装置から取り外して持ち出し、それに記憶されている画像データを読み出して不正に取得できる可能性がある。
【０００６】
そこで、情報漏洩または不正使用に対する画像データのセキュリティを考慮した以下のような技術が提案されている。
【０００７】
たとえば、個人認証した上で装置を使用するようにした画像処理装置（特許文献２参照）、出力される画像データに特定情報を埋め込み、画像データの経路を追跡できるようにした画像処理装置（特許文献３参照）、画像データを暗号化して記憶媒体に記憶させるようにした画像処理装置（特許文献４参照）、記憶媒体に記憶された画像データが不要となった時点で自動的に消去される画像処理装置（特許文献５参照）等であり、これらの技術によれば装置内に残留している画像データの漏洩または不正使用を防止することが可能になるとされている。
【０００８】
また一方では、画像データに対して消去処理を実行したり、メモリに記憶されている画像データを消去したりすることにより、電子ファイリング機能からの情報漏洩または画像データの不正使用を防止するためのデータセキュリティキットが商品化されている。このようなデータセキュリティキットは、前述した電子ファイリング機能に適用することが可能であり、従ってそのような電子ファイリング機能を有する画像処理装置は勿論のこと、種々の装置にいわゆる後付けで装備することが可能である。
【特許文献１】特開平６ー１７８０４１号公報
【特許文献２】特開平７−２８３６５号公報
【特許文献３】特開２０００−１８７４１９号公報
【特許文献４】特開平１−２５６０６８号公報
【特許文献５】特開平９−２２３０６１号公報
【発明の開示】
【発明が解決しようとする課題】
【０００９】
しかしながら、従来の電子ファイリング機能を有する画像処理装置に上述のようなデータセキュリティキットを装備した場合、既存の電子ファイリング機能が優先されることになる。従って、前述したような記憶媒体に記憶されている画像データを画像形成部等の画像処理手段へ出力する電子ファイリング機能の動作が、データセキュリティキットによる画像データの消去の妨げになるという問題が生じる。
【００１０】
本発明はこのような事情に鑑みてなされたものであり、いわゆるドキュメントファイリング機能により入力されてハードディスク等の記憶手段に保存されている画像データに対して、それらの画像データを保護するためのデータセキュリティ機能が有効に設定された場合にドキュメントファイリング機能の一部を制限することにより、ドキュメントファイリング機能とデータセキュリティ機能との調和を図った画像処理装置の提供を目的とする。
【００１１】
また本発明は、プリンタ等の画像処理手段がハードディスク等の画像データ記憶手段に記憶されている画像データを画像処理する場合に画像データ記憶手段から画像データを読み出して画像処理手段に処理させ、画像データ記憶手段に記憶されている画像データが画像処理手段により画像処理された場合にその画像データを画像データ記憶手段にそのまま記憶させておくように画像データを操作するように構成されている画像処理装置において、上述のような画像データの操作を変更することを可能とした画像処理装置の提供を主たる目的とする。
【００１２】
また本発明は、外部から入力された画像データを暗号化して画像データ記憶手段に記憶させ、この画像データ記憶手段に記憶した暗号化された画像データを復号化して前記画像処理手段に与えるように画像データの操作を変更することを可能として、セキュリティを向上させた画像処理装置の提供を目的とする。
【００１３】
また本発明は、外部から入力された画像データを暗号化手段で暗号化して画像データ記憶手段に記憶させ、この画像データ記憶手段に記憶した暗号化された画像データを復号化手段で復号化して前記画像処理手段に与えるように画像データの操作を変更することを可能として、セキュリティを向上させた画像処理装置の提供を目的とする。
【００１４】
また本発明は、暗号化手段及び復号化手段が着脱可能であり、暗号化手段及び復号化手段が装備されている場合に、外部から入力された画像データを暗号化手段で暗号化して画像データ記憶手段に記憶させ、この画像データ記憶手段に記憶した暗号化された画像データを復号化手段で復号化して前記画像処理手段に与えるように画像データの操作を変更するようにして、暗号化手段及び復号化手段の後付けによってセキュリティを向上させることを可能とした画像処理装置の提供を目的とする。
【００１５】
また本発明は、暗号化手段及び復号化手段が着脱可能であり、暗号化手段及び復号化手段が装備されている場合に、前記画像処理手段によって画像処理された画像データを前記画像データ記憶手段から消去するように画像データの操作を変更するようにして、暗号化手段及び復号化手段の後付けによってセキュリティを向上させることを可能とした画像処理装置の提供を目的とする。
【００１６】
また本発明は、画像データ記憶手段が記憶している画像データが画像処理手段により画像処理された場合に画像データ記憶手段に記憶されているその画像データをランダムデータに置換するように画像データの操作を変更することを可能として、セキュリティを向上させた画像処理装置の提供を目的とする。
【００１７】
また本発明は、画像データ記憶手段が記憶している画像データを強制的に消去するように画像データの操作を変更することを可能として、セキュリティを向上させた画像処理装置の提供を目的とする。
【００１８】
また本発明は、画像データ記憶手段が記憶している画像データが画像処理手段により画像処理された場合にその画像データを画像データ記憶手段から強制的に消去するように画像データの操作を変更することを可能として、セキュリティを向上させた画像処理装置の提供を目的とする。
【００１９】
また本発明は、画像データ記憶手段が記憶している全ての画像データを強制的に消去するように画像データの操作を変更することを可能として、セキュリティを向上させた画像処理装置の提供を目的とする。
【００２０】
また本発明は、画像処理手段により画像処理されるべき画像データを画像データ記憶手段に一時的に記憶させ、この画像データが画像処理手段により画像処理された場合に直ちに画像データ記憶手段から消去するようにして、セキュリティを向上させた画像処理装置の提供を目的とする。
【００２１】
また本発明は、操作変更手段の作動又は停止を切換手段で切換えるようにして、使用環境に応じて、セキュリティを向上させたり、セキュリティを低下させて利便性を向上させることを可能とした画像処理装置の提供を目的とする。
【００２２】
更に本発明は、具体的な画像処理として、画像データを記録媒体に記録して画像を形成する、具体的にはプリントアウトする画像処理装置の提供を目的とする。
【００２３】
更に本発明は、具体的な画像処理として、画像データをファクシミリ通信により外部へ送信する画像処理装置の提供を目的とする。
【００２４】
更に本発明は、具体的な画像処理として、画像データをデータ通信により外部へ送信する画像処理装置の提供を目的とする。
【課題を解決するための手段】
【００２５】
本発明に係る画像処理装置は、画像データを記憶する画像データ記憶手段と、画像データをファイリング機能により入力して前記画像データ記憶手段に記憶させる操作、また前記画像データ記憶手段が記憶している画像データを読み出して出力させる操作を行なう画像データ操作手段と、該画像データ操作手段が出力した画像データを画像処理する画像処理手段とを備えた画像処理装置において、前記画像データ記憶手段が記憶している画像データに対する前記画像データ操作手段による操作を制限する画像データ保護手段を更に備え、該画像データ保護手段が動作している場合は、前記画像データ操作手段による画像データの操作が制限されるようにしてあることを特徴とする。
【００２６】
このような本発明の画像処理装置では、ファイリング機能により画像データ記憶手段に画像データを入力して記憶させ、また画像データ記憶手段が記憶している画像データを読み出して出力する画像データ操作手段による画像データの操作が、画像データ保護手段が動作している場合には全面的に禁じられるのではなく、その一部の機能のみが制限される。
【００２７】
また本発明に係る画像処理装置は、画像データを一時記憶する画像データ記憶手段と、該画像データ記憶手段が記憶している画像データを読み出して画像処理する画像処理手段と、前記画像データ記憶手段に記憶されている画像データを、該画像データが前記画像処理手段により画像処理された場合に、前記画像データ記憶手段に記憶させておくように操作する画像データ操作手段とを備えた画像処理装置において、前記画像データ操作手段による画像データの操作を変更する操作変更手段を備えたことを特徴とする。
【００２８】
このような本発明の画像処理装置では、画像処理手段が画像データ記憶手段に記憶されている画像データを画像処理する場合に、画像データ記憶手段から画像データを読み出して画像処理手段に処理させ、画像データ記憶手段に記憶されている画像データが画像処理手段により画像処理された場合に画像データ記憶手段から消去せずにそのまま記憶させておくという画像データ操作手段による本来の画像データの操作とは異なる画像データの操作が操作変更手段により行なわれる。
【００２９】
また本発明に係る画像処理装置は、上述の発明において、前記操作変更手段は、入力された画像データを暗号化して前記画像データ記憶手段に記憶させ、該画像データ記憶手段に記憶させた暗号化された画像データを復号化して前記画像処理手段に与えるようにしてあることを特徴とする。
【００３０】
このような本発明の画像処理装置では、入力された画像データが暗号化されて画像データ記憶手段に記憶され、この画像データ記憶手段に記憶された暗号化された画像データが復号化されて画像処理手段に与えられるように、画像データの操作が操作変更手段により変更される。
【００３１】
また本発明に係る画像処理装置は、データを暗号化する暗号化手段と、該暗号化手段で暗号化されたデータを復号化する復号化手段とを備え、前記操作変更手段は、入力された画像データを暗号化手段に与え、該暗号化手段が暗号化した画像データを前記画像データ記憶手段に記憶させ、該画像データ記憶手段に記憶させた暗号化された画像データを復号化手段に与え、該復号化手段が復号化した画像データを前記画像処理手段に与えるようにしてあることを特徴とする。
【００３２】
このような本発明の画像処理装置では、入力された画像データが暗号化手段によって暗号化されて画像データ記憶手段に記憶され、この画像データ記憶手段に記憶された暗号化された画像データが復号化手段によって復号化されて画像処理手段に与えられるように、画像データの操作が操作変更手段により変更される。
【００３３】
また本発明に係る画像処理装置は、上述の発明において、前記暗号化手段及び前記復号化手段は着脱が可能であり、前記操作変更手段は、前記暗号化手段及び前記復号化手段が装備されている場合、入力された画像データを暗号化手段に与え、該暗号化手段が暗号化した画像データを前記画像データ記憶手段に記憶させ、該画像データ記憶手段に記憶させた暗号化された画像データを復号化手段に与え、該復号化手段が復号化した画像データを前記画像処理手段に与えるようにしてあることを特徴とする。
【００３４】
このような本発明の画像処理装置では、上述の発明において、暗号化手段及び復号化手段は着脱が可能であり、暗号化手段及び復号化手段が装備されている場合、入力された画像データが暗号化手段によって暗号化されて画像データ記憶手段に記憶され、この画像データ記憶手段に記憶された暗号化された画像データが復号化手段によって復号化されて画像処理手段に与えられるように、画像データの操作が操作変更手段により変更される。なお、暗号化手段及び復号化手段の着脱は、暗号・復号回路を含むオプションボードを取付け又は取外したり、暗号・復号プログラムが記録されたＲＯＭを取付け又は取外したり、暗号・復号プログラムをインストール又はアンインストールすることが可能である。
【００３５】
また本発明に係る画像処理装置は、上述の発明において、前記操作変更手段は、前記暗号化手段及び前記復号化手段が装備されている場合、前記画像処理手段によって画像処理された画像データを前記画像データ記憶手段から消去するようにしてあることを特徴とする。
【００３６】
このような本発明の画像処理装置では、上述の発明において、暗号化手段及び復号化手段は着脱が可能であり、暗号化手段及び復号化手段が装備されている場合、画像処理手段によって画像処理された画像データが、画像データ記憶手段から消去されるように、画像データの操作が操作変更手段により変更される。
【００３７】
また本発明に係る画像処理装置は、上述の発明において、前記操作変更手段は、前記画像データ記憶手段が記憶している画像データを該画像データが前記画像処理手段により画像処理された場合にランダムデータに置換するようにしてあることを特徴とする。
【００３８】
このような本発明の画像処理装置では、上述の発明において、画像データ記憶手段が記憶している画像データが画像処理手段により画像処理された場合に、その画像データ記憶手段に記憶されている画像データがランダムデータに置換されるように、画像データの操作が操作変更手段により変更される。
【００３９】
また本発明に係る画像処理装置は、前述の発明において、前記操作変更手段は、前記画像データ記憶手段が記憶している画像データを強制的に消去するようにしてあることを特徴とする。
【００４０】
このような本発明の画像処理装置では、前述の発明において、画像データ記憶手段が記憶している画像データが強制的に消去されるように、画像データの操作が操作変更手段により変更される。
【００４１】
また本発明に係る画像処理装置は、上述の発明において、前記操作変更手段は、前記画像データ記憶手段が記憶している画像データを、該画像データが前記画像処理手段により画像処理された場合に強制的に消去するようにしてあることを特徴とする。
【００４２】
このような本発明の画像処理装置では、上述の発明において、画像データ記憶手段が記憶している画像データが画像処理手段により画像処理された場合に画像データ記憶手段から強制的に消去されるように、画像データの操作が操作変更手段により変更される。
【００４３】
また本発明に係る画像処理装置は、前述の発明において、前記操作変更手段は、前記画像データ記憶手段が記憶している全ての画像データを強制的に消去するようにしてあることを特徴とする。
【００４４】
このような本発明の画像処理装置では、前述の発明において、画像データ記憶手段が記憶している全ての画像データが強制的に消去されるように、画像データの操作が操作変更手段により変更される。
【００４５】
また本発明に係る画像処理装置は、前述の発明において、前記操作変更手段は、前記画像処理手段により画像処理されるべき画像データを前記画像データ記憶手段に一時的に記憶させ、該画像データが前記画像処理手段により画像処理された場合に前記画像データ記憶手段から消去すべくなしてあることを特徴とする。
【００４６】
このような本発明の画像処理装置では、前述の発明において、画像処理手段により画像処理されるべき画像データが画像データ記憶手段に一時的に記憶され、この画像データ記憶手段が一時的に記憶している画像データがその画像データ自身が画像処理された場合に直ちに画像データ記憶手段から消去されるように、画像データの操作が操作変更手段により変更される。
【００４７】
また本発明に係る画像処理装置は、上述の各発明において、前記操作変更手段の作動又は停止を切換える切換手段を備えることを特徴とする。
【００４８】
このような本発明の画像処理装置では、上述の各発明において、操作変更手段の作動又は停止は、切換手段により切換えられる。
【００４９】
また本発明に係る画像処理装置は、上述の各発明において、前記画像処理手段は、画像データを記録媒体に記録して画像を形成するようにしてあることを特徴とする。
【００５０】
このような本発明の画像処理装置では、上述の各発明において、画像データを記録媒体に記録して画像を形成する、具体的にはプリントアウトする画像処理が行なわれる。
【００５１】
また本発明に係る画像処理装置は、上述の各発明において、前記画像処理手段は、画像データをファクシミリ通信により外部へ送信するようにしてあることを特徴とする。
【００５２】
このような本発明の画像処理装置では、上述の各発明において、画像データをファクシミリ通信により外部へ送信する画像処理が行なわれる。
【００５３】
また本発明に係る画像処理装置は、上述の各発明において、前記画像処理手段は、画像データをデータ通信により外部へ送信するようにしてあることを特徴とする。
【００５４】
このような本発明の画像処理装置では、上述の各発明において、画像データをデータ通信により外部へ送信する画像処理が行なわれる。
【発明の効果】
【００５５】
以上に詳述したように本発明に係る画像処理装置によれば、ファイリング機能により画像データ記憶手段に画像データを入力して記憶させ、また画像データ記憶手段が記憶している画像データを読み出して出力する画像データ操作手段による画像データの操作が、画像データ保護手段が動作している場合には全面的に禁じられるのではなく、その一部の機能のみが制限されるので、ドキュメントファイリング機能とデータセキュリティ機能とが調和した利用し易く、且つデータのセキュリティも保障されるデータ処理装置が実現される。
【００５６】
また本発明に係る画像処理装置によれば、画像データが画像処理手段により画像処理された後にも装置内のハードディスク等の画像データ記憶手段に記憶されるように画像データの操作が行なわれるように本来は構成されている場合にも、画像データ記憶手段に記憶されている画像データのセキュリティが向上するように画像データの操作が本来のそれとは異なるように変更される。
【００５７】
また本発明に係る画像処理装置によれば、入力された画像データが一旦暗号化され、処理される際に復号化されるので、セキュリティが維持される。
【００５８】
また本発明に係る画像処理装置によれば、入力された画像データが暗号化手段で暗号化され、処理される際に復号化手段で復号化されるので、セキュリティが維持される。
【００５９】
また本発明に係る画像処理装置によれば、暗号化手段及び復号化手段が装備されている場合に、入力された画像データが暗号化手段で暗号化され、処理される際に復号化手段で復号化されるので、セキュリティを暗号化手段及び復号化手段の後付けによって向上させることが可能になる。
【００６０】
また本発明に係る画像処理装置によれば、暗号化手段及び復号化手段が装備されている場合に、画像処理された画像データは画像データ記憶手段から消去されるので、セキュリティを暗号化手段及び復号化手段の後付けによって向上させることが可能になる。
【００６１】
更に本発明に係る画像処理装置によれば、装置内のハードディスク等の画像データ記憶手段が記憶している画像データがランダムデータに置換されるので、たとえ画像データ記憶手段そのものを持ち出されたとしても、セキュリティが維持される。
【００６２】
また更に本発明に係る画像処理装置によれば、装置内のハードディスク等の画像データ記憶手段が記憶している画像データが強制的に消去されるので、たとえ画像データ記憶手段そのものを持ち出されたとしても、画像データを再生することができないため、セキュリティが維持される。
【００６３】
更にまた本発明に係る画像処理装置によれば、装置内のハードディスク等の画像データ記憶手段が記憶している画像データがその画像データ自身が画像処理手段により画像処理された後に強制的に消去されるので、機密性が高い画像データのセキュリティが維持される。
【００６４】
また更に本発明に係る画像処理装置によれば、装置内のハードディスク等の画像データ記憶手段が記憶している全ての画像データが強制的に消去されるので、たとえ画像データ記憶手段そのものを持ち出されたとしても、画像データを再生することができないため、セキュリティが維持される。
【００６５】
更にまた本発明に係る画像処理装置によれば、画像処理手段により画像処理されるべき画像データが画像データ記憶手段に一時的に記憶され、この画像データ記憶手段が一時的に記憶している画像データがその画像データ自身が画像処理された場合には直ちに画像データ記憶手段から消去されるので、機密性が高い画像データを処理した場合にも、たとえ画像データ記憶手段そのものを持ち出されたとしても、画像データ記憶手段に記憶させていない機密性が高い画像データのセキュリティが維持される。
【００６６】
また本発明に係る画像処理装置によれば、操作変更手段の作動又は停止は、切換手段によって切換えられるので、使用環境に応じて、セキュリティを高めたり、セキュリティを低くして利便性を向上させることが可能になる。
【００６７】
また本発明に係る画像処理装置によれば、画像データを記録媒体に記録して画像を形成する、具体的にはプリントアウトする画像処理に使用された画像データのセキュリティが維持される。
【００６８】
また本発明の画像処理装置によれば、画像データをファクシミリ通信により外部へ送信する画像処理に使用された画像データのセキュリティが維持される。
【００６９】
また本発明の画像処理装置によれば、画像データをデータ通信により外部へ送信する画像処理に使用された画像データのセキュリティが維持される。
【発明を実施するための最良の形態】
【００７０】
以下、本発明の実施の形態を図面に基づいて説明する。図１は、本発明に係る画像処理装置をデジタル複合機に適用した場合の実施の形態の一例を示す機能ブロック図である。
【００７１】
本発明の画像処理装置としてのデジタル複合機２０は、コピー機能を有する他に、通信ケーブルまたは電話回線等を介してパーソナルコンピュータ等の外部装置に接続されており、それらの外部装置から受信した画像データを使用するプリンタ機能、ネットワークスキャナ機能、ＦＡＸ機能等をも有する。換言すれば、本発明の画像処理装置としてのデジタル複合機２０は、画像処理機能として、画像データを記録媒体に記録してプリントアウトする機能、ファクシミリ通信により外部へ送信する機能、データ通信により外部へデータ送信する機能等を有する。
【００７２】
デジタル複合機２０は主要には、画像読み取り部２、操作パネル４、画像形成部６、機器制御部８、外部と通信を行なうためのインタフェイスである通信部１０、不揮発性の記憶装置としてのハードディスク（ＨＤ）１２、管理部１４等を備えている。なお、ハードディスク１２は画像データ記憶手段として機能する。
【００７３】
画像読み取り部２は、たとえばＣＣＤ（Charge Coupled Device)２ａ等のような光学的な画像読み取り手段により原稿の画像を読み取る。この画像読み取り部２が読み取った原稿の画像データはたとえばＲＡＭ等の揮発性の記憶装置であるメモリ６ａにページ単位（原稿１枚単位）で記憶されると共に、読み取った原稿の枚数（ページ数）は管理部１４に記憶される。
【００７４】
通信部１０は、通信回線としてのインターネットまたはＬＡＮ（Local Area Network）等のネットワークＮＷを介してパーソナルコンピュータ等の外部装置と接続しており、それらの外部装置との間でデータ通信を行なうことにより、画像データを送受信する。また通信部１０は、図示しないがモデム及びＮＣＵ（Network Control Unit）を備え、ファクシミリ通信も可能に構成されている。モデムはＮＣＵを介して公衆電話交換網ＰＳＴＮと接続されている。ＮＣＵはアナログの公衆電話交換網ＰＳＴＮとの回線の閉結及び開放の回線制御動作を行なうハードウェアであり、必要に応じてモデムを公衆電話交換網ＰＳＴＮと接続する。
【００７５】
画像形成部６は、画像読み取り部２または通信部１０から画像データが入力された場合、画像データを記憶する揮発性のたとえばＲＡＭ等のメモリ６ａ及びこのメモリ６ａに記憶された画像データから画像を形成する印字部（LSU:Laser Scanning Unit)６ｂを備えている。なお、本実施の形態では印字部６ｂはＬＳＵ（レーザ走査ユニット）で構成してあるが、インクジェット方式等のプリンタ装置であってもよい。
【００７６】
管理部１４は、機器制御部８のための制御プログラムを格納したＲＯＭ及び操作パネル４にて設定された情報及び装置の各構成部の動作に関する情報等を記憶するためのＲＡＭ等からなる。但し、フラッシュメモリ，ＥＥＰＲＯＭ等の書換え可能な不揮発性の記憶媒体であってもよい。
【００７７】
次に、入力部４ａ、表示部４ｂから構成される操作パネル４の構成例を図２の模式図を参照して説明する。
【００７８】
操作パネル４は、前述したように、入力部４ａ及び表示部４ｂを備えている。表示部４ｂは、ドットマトリックスタイプの液晶パネルにより構成されており、デジタル複合機２０としてユーザに対して報知すべき情報を詳細に案内表示できるようになっている。また、この表示部４ｂの液晶パネルの画面上には透明のタッチパネルが設けられており、液晶パネル上に表示される情報に従ってタッチパネルを操作することにより、対応する情報が指示情報として入力される入力部４ａの一部としても機能する。
【００７９】
入力部４ａには、他に、液晶パネルに隣接してキー群が配置されており、コピースタートを指示するためのスタートキー１６、実行中の処理を中断させるためのクリアオール（ＣＡ：全解除）キー１７、指示したモードの内容をクリアするクリアキー１８、コピー枚数等を指示するためのテンキー２２、モード毎の切り換えキー２３ａ、２３ｂ、２３ｃ、ユーザー設定キー２４等が含まれる。
【００８０】
また、ジョブ状況キー２３ｄの操作により、現在のジョブの処理状況と印刷が完了した過去の印刷状況が確認可能である。
【００８１】
機器制御部８は、たとえばＣＰＵ（Central Processing Unit)にて構成されており、管理部１４に予め格納されている制御プログラムに従って、操作パネル４、画像形成部６、通信部１０、及びＨＤ１２等のデジタル複合機２０を構成する各機器の動作を制御する。また、機器制御部８は、操作パネル４に設けられた入力部４ａの各キーの操作によってユーザが入力した指示、情報に従って、表示部４ｂにデジタル複合機２０の状態に関する情報及びユーザに通知すべき情報等を出力する。
【００８２】
更に機器制御部８は、画像データの入力、具体的には画像読み取り部２からの画像データの入力及び通信部１０を介しての外部からの画像データの入力、入力した画像データのメモリ６ａ、ハードディスク１２への入出力等の操作を行なう画像データ操作手段としても機能する。
【００８３】
ＨＤ１２は、画像読み取り部２、通信部１０から入力されて画像形成部６により画像形成されるべき画像データ、通信部１０を介してファクシミリ通信またはデータ通信により外部へ送信されるべき画像データを記憶するが、詳細は後述する。
【００８４】
本発明の画像処理装置としてのデジタル複合機２０は、入力部４ａの操作により、コピー機能、プリンタ機能、ネットワークスキャナ機能またはＦＡＸ機能の各機能が設定され、この設定された機能に関する情報が管理部１４に記憶される。この管理部１４が記憶している情報に基づいて、機器制御部８は、装置の各構成部の動作を制御し、それぞれの機能に対応した処理を行なうと共に、画像データのメモリ６ａ、ハードディスク１２等の間の入出力の操作を行なう。
【００８５】
以下に、本発明の画像処理装置としてのデジタル複合機２０をコピー機、プリンタ、ネットワークスキャナまたはＦＡＸとして用いた場合におけるそれぞれの動作について説明する。
【００８６】
図３は、本発明の画像処理装置としてのデジタル複合機２０にコピー機能が設定された場合の機器制御部８による画像データの処理手順を示すフローチャートである。
【００８７】
デジタル複合機２０を前述した入力部４ａの機能設定によりコピー機として使用する場合には、機器制御部８は画像読み取り部２が読み取った原稿の画像データを入力し（ステップＳ１）、揮発性のメモリ６ａに一旦記憶させ（ステップＳ２）、また同時にＨＤ１２にも記憶させる（ステップＳ３）。なお、複数枚（複数ページ）の原稿を画像読み取り部２で読み取る場合には、上述のステップＳ１からステップＳ３までの処理が原稿の枚数（ページ数）分だけ反復される。
【００８８】
次に、機器制御部８は、操作パネル４の操作により予め設定されている濃度，用紙の大きさ等の情報に基づいて画像を形成する場合（ステップＳ４でＹＥＳ）、ＨＤ１２が記憶している画像データを読み出してメモリ６ａに一旦記憶させ（ステップＳ５）、このメモリ６ａに記憶された画像データを印字部６ｂへ出力させて印字させる（ステップＳ６）。
【００８９】
また、ＨＤ１２に記憶されている画像データを複数枚（複数ページ）印字する場合には、ステップＳ４からステップＳ６までの動作が、印字部６にて画像形成される原稿枚数分反復される。
【００９０】
なお、上述したコピー機としての機能が設定されている場合の処理は、管理部１４が記憶している制御プログラムに基づいて、機器制御部８が装置の各構成部の動作を制御することにより実行される。
【００９１】
図４は、本発明の画像処理装置としてのデジタル複合機２０にプリンタ機能が設定された場合の機器制御部８による画像データの処理手順を示すフローチャートである。
【００９２】
通信部１０は前述したように通信ケーブル等によりネットワークＮＷと接続されている。従って、ネットワーク上に接続されたパーソナルコンピュータＰＣ１，ＰＣ２からデータ通信により画像データを受信することができる。通信部１０がパーソナルコンピュータＰＣ１，ＰＣ２から画像データを受信した場合、機器制御部８はそれを入力し（ステップＳ１１）、メモリ６ａに一旦記憶させ（ステップＳ１２）、同時にＨＤ１２にも記憶させる（ステップＳ１３）。
【００９３】
次に、機器制御部８は、操作パネル４の操作により予め設定されている濃度，用紙の大きさ等の情報に基づいて画像を形成する場合（ステップＳ１４でＹＥＳ）、ＨＤ１２が記憶している画像データを読み出してメモリ６ａに記憶させ（ステップＳ１５）、このメモリ６ａに記憶された画像データを印字部６ｂへ出力させて印字させる（ステップＳ１６）。
【００９４】
なお、上述したプリンタとしての機能が設定されている場合の処理は、管理部１４が記憶している制御プログラムに基づいて、機器制御部８が装置の各構成部の動作を制御することにより実行される。
【００９５】
図５は、本発明の画像処理装置としてのデジタル複合機２０にネットワークスキャナ機能が設定された場合の機器制御部８による画像データの処理手順を示すフローチャートである。
【００９６】
画像読み取り部２が読み取った原稿の画像データは、通信部１０からネットワークＮＷを介して任意のパーソナルコンピュータＰＣ１，ＰＣ２へ送信される。前述したコピー機能の場合と同様に、機器制御部８は画像読み取り部２が読み取った画像データを入力し（ステップＳ２１）、揮発性のメモリ６ａに一旦記憶させ（ステップＳ２２）、同時にＨＤ１２にも記憶させる（ステップＳ２３）。そして、機器制御部８はＨＤ１２に記憶されている画像データを読み出してメモリ６ａに記憶させ（ステップＳ２４）、操作パネル４の操作により設定されたたとえばパーソナルコンピュータＰＣ１と通信を確立した後（ステップＳ２５でＹＥＳ）、メモリ６ａが記憶している画像データを通信部１０へ出力し、通信部１０からネットワークＮＷを経由して送信先のパーソナルコンピュータへ送信する（ステップＳ２６）。
【００９７】
なお、上述したネットワークスキャナとしての機能が設定されている場合の処理は、管理部１４が記憶している制御プログラムに基づいて、機器制御部８が装置の各構成部の動作を制御することにより実行される。
【００９８】
更に、通信部１０はネットワーク以外に公衆電話交換網ＰＳＴＮとも接続されており、デジタル複合機２０をＦＡＸ装置として使用する場合においても同様の手順の処理が機器制御部８により実行される。
【００９９】
なおここでは、画像データを記憶する記憶媒体としてのＨＤを備えたデジタル複合機２０について説明しているが、これに限らず、装置本体から取り外された場合及び電源が遮断された場合にもそれ以前に記憶していた画像データを保持できる不揮発性のメモリ、バックアップ機能を有するメモリ、または磁気記憶媒体を用いたその他の記憶媒体等を備えている場合にも同様に適用できる。
【０１００】
次に、本発明の画像処理装置としてのデジタル複合機２０に備えられているＨＤ１２を使用して機能する電子ファイリング機能について説明する。
【０１０１】
図１において、ＨＤ１２は、第１記憶部１２１と第２記憶部１２２との二つのデータ記憶領域に分割されている。第１記憶部１２１が記憶している画像データは、メモリ６ａへ読み出されて記憶され、更に印字部６ｂへ出力されて印刷用紙等の記録媒体に印字される。このようにして画像が形成された場合には、印字処理が行なわれた順番または日時等による履歴情報と、画像データそのものとが第１記憶部１２１に記憶される。
【０１０２】
印字部数設定不足または紙詰まり等により、第１記憶部１２１に記憶されている画像データの印字処理が一旦行なわれたにも拘わらず、同一の画像データから再度画像を形成する必要が生じた場合には、操作パネル４の操作により印字に関する情報を設定するか、またはネットワークに接続されたパーソナルコンピュータＰＣ１，ＰＣ２等において印字に関する情報を設定し、その設定情報をデジタル複合機２０へ送信することにより、それぞれの設定に基づいて、第１記憶部１２１に消去されずに記憶されている画像データが画像形成部６へ再度出力されて画像が形成される。
【０１０３】
また、第２記憶部１２２は、第１記憶部１２１が記憶している画像データをたとえばデータの形態（以下、ファイル形式という）ごとに、またはコピー、プリンタ、ネットワークスキャナ、ＦＡＸ等の機能ごとに整理して記憶しておくための領域である。画像データがデジタル複合機２０に入力された後の一定期間後には画像データは第２記憶部１２２に整理されて記憶されているので、そのような画像データを画像形成する場合には、第２記憶部１２２から画像データが読み出されてメモリ６ａに一旦記憶され、このメモリ６ａに記憶された画像データが印字部６ｂへ出力されてコピー用紙等の記録媒体に印字される。
【０１０４】
なお、第１記憶部１２１は第２記憶部１２２に比して記憶領域が小さく設定されている。従って、第１記憶部１２１にデータを記憶するために十分な空き領域（記憶領域）がない場合は、たとえば第１記憶部１２１が記憶している画像データが履歴情報に基づいて古いものから消去されるか、新たに入力された画像データで更新されるか、または第１記憶部１２１に記憶されてから一定時間経過後の画像データが自動的に消去されるようにすればよい。
【０１０５】
一方、第２記憶部１２２に記憶されている画像データは前述したように整理して記憶されている。この第２記憶部１２２に記憶されている画像データは、操作パネル４の操作によって消去を指示する情報が設定されない限りは消去されない。但し、第２記憶部１２２の記憶容量が限界容量に達した場合には、表示部４ｂにその旨を表示してユーザーに報知する。これにより、ユーザが操作パネル４を操作して設定を行なうことにより画像データを消去するか、ＨＤを増設するか、またはより記憶容量が大きいＨＤに交換するか等により記憶容量を増加させることにより、新たに空き記憶領域を確保、追加することができる。また、第２記憶部１２２は、たとえば、画像データのファイル形式ごとに分けられた複数のフォルダを有しており、画像データを種類に応じて整理し、記憶する。
【０１０６】
前述したように、本発明の画像処理装置としてのデジタル複合機２０は電子ファイリング機能を有しており、第１記憶部１２１の印字処理または第２記憶部１２２の印字処理が実行される場合にはＨＤ１２が記憶している画像データが画像形成部６へ出力され、この画像データ毎に第１記憶部１２１に記憶される。また、一定期間後に画像を形成する場合には、第１記憶部１２１に記憶された画像データは、第２記憶部１２２に整理して記憶され、第２記憶部１２２に記憶されている画像データは、印字処理の要求に応じて画像形成部６へ出力され、画像が形成される。
【０１０７】
以下、本発明の画像処理装置としてのデジタル複合機２０において、データセキュリティキットが後付けで装備された場合、または動作しない状態で予め装備されていたが動作するようにある時点で切り換え設定された場合について説明する。
【０１０８】
上述の場合、本発明の画像処理装置としてのデジタル複合機２０の上述したような機能の一部または全部を停止することが可能に、具体的には機器制御部８がＨＤ１２の第１記憶部１２１及び第２記憶部１２２の本来の動作の一部または全てを停止させることが可能になる。換言すれば、機器制御部８は通常は画像データ操作手段として機能するが、セキュリティキットが動作する状態においては画像データの操作を変更する操作変更手段として機能する。
【０１０９】
従って、セキュリティキットが動作する状態においてはたとえば、印字処理が終了した画像データに関しては印字処理が終了した時点で直ちに管理部１４に記憶されているＨＤ１２のファイル管理情報（ＦＡＴデータ）を消去するか、メモリ６ａに記憶されている画像データを消去するか、ＨＤ１２に記憶されている画像データに対してランダムに構成されたビットデータまたはバイトデータにて更新し、画像データを消去する（以下、消去処理という）か、または解読困難なように暗号化して一時的に記憶した後に消去処理を実行することにより、画像データのセキュリティを確保することが可能になる。
【０１１０】
図６は、本発明の画像処理装置としてのデジタル複合機２０にデータセキュリティキットが装備された場合の機能構成を示すブロック図であり、前述の図１に示した構成と比して暗号化部９ａ，９ｂ及び復号化部９ｃが新たに機能ブロックとして追加されている。暗号化部９ａは通信部１０が受信した画像データをメモリ６ａへ転送する途中で画像データを暗号化するために、暗号化部９ｂは画像読み取り部２が読み取った画像データをメモリ６ａへ転送する途中で画像データを暗号化するために、復号化部９ｃはメモリ６ａが記憶している暗号化された画像データを画像形成部６の印字部６ｂへ転送する途中で復号化して元の画像データに復元するためにそれぞれ備えられている。
【０１１１】
なお、暗号化部９ａ，９ｂ及び復号化部９ｃはハードウェア的に暗号化、復号化を行なうオプションボードであってもよいし、ソフトウェア的に暗号化、復号化を行なうプラグインソフトであってもよい。また、プラグインソフトを追加して、機器制御部８に消去処理を実行させることも可能である。プラグインソフトを用いる場合、管理部１４にプラグインソフトが格納されたＲＯＭを追加したり、ネットワークＮＷ経由で受信したプラグインソフトを管理部１４に格納するなどして、プラグインソフトを追加することが可能である。
【０１１２】
画像読み取り部２またはネットワークＮＷを通じて通信部１０から入力された画像データはデータセキュリティキットの暗号化部９ｂまたは９ａによって暗号化されてメモリ６ａに記憶される。そして、この暗号化されてメモリ６ａに記憶された画像データが印字部６ｂへ出力される場合には復号化部９ｃにより復号化されて元の画像データに復元される。
【０１１３】
なお、メモリ６ａに記憶されている暗号化された画像データがＨＤ１２に記憶される場合には暗号化されたままで記憶される。また、ＨＤ１２に記憶された暗号化された画像データは、機器制御部８により自動的に消去処理が実行される。従って、本発明の画像処理装置としてのデジタル複合機２０では、画像処理された後の画像データのセキュリティ保護がなされる。
【０１１４】
なお、上述以外の構成は図１に示した構成例と同様であるため、その説明を省略する。
【０１１５】
次に、コピー機能設定時において、セキュリティレベルに応じて画像データの消去処理を実行する各処理過程における表示部４ｂの表示状態を図７乃至図１１の模式図を参照して説明する。なお、本説明では、消去処理は暗号化して一時的に記憶した後に実行するため、消去処理を実行する場合は暗号化も実行される。暗号化・復号化処理及び消去処理の追加は、両方の処理を追加したり、一方の処理を追加することが可能である。
【０１１６】
図７はデジタル複合機２０にデータセキュリティキットが装備されていない場合の、図８はデジタル複合機２０にデータセキュリティキットが装備されている場合の、図９は図８に示すデジタル複合機２０にデータセキュリティキットが装備されている状態において表示画面左下のアイコンＩＣの部分を指で押圧した場合の、図１０は「画像データ消去処理」が機能している場合の、図１１は図１０に示す状態においてデジタル複合機２０の表示画面左下のアイコンＩＣの部分が指で押圧された場合のそれぞれ表示部４ｂの画面の表示状態を示している。
【０１１７】
図７に示す表示部４ｂの画面は、デジタル複合機２０の既存の機能である「電子ファイリング機能」が稼働しており、印字処理後の画像データがＨＤ１２（第１記憶部１２１）に記憶されることを示している。
【０１１８】
図８に示す表示部４ｂの画面では、「画像データ消去処理」機能を稼働させることが可能なデータセキュリティキットがデジタル複合機２０に装備されており、しかも「画像データ消去処理」機能が稼動している場合には「画像データ消去処理」が有効になることがユーザに直観的に理解できるように、表示画面の左下に「画像データ消去処理」が利用可能な状態であることを示す「南京錠」を模したアイコンＩＣが表示されている。
【０１１９】
図８の表示部４ｂの表示状態において表示画面左下のアイコンＩＣの部分が押圧（タッチ）された場合であっても「画像データ消去処理」が動作していないとき（装置が待機しているとき）には、図９に示す表示画面が表示部４ｂに表示される。この図９に示す表示部４ｂの表示画面の略中央には、タイトル及びデータセキュリティキットに関するバージョン情報等がウィンドウ表示される。
【０１２０】
なお、「画像データ消去機能」は、「データセキュリティキット」としてデジタル複合機２０上でオプション扱いされており、図９に示す表示部４ｂの表示画面のウィンドウ表示中に「データセキュリティキット」として表示されている。従って、図９に示す画面において「データセキュリティキット」及び「画像データ消去機能」の内容、並びにバージョン等が確認できる。
【０１２１】
また、図１０に示す表示部４ｂの表示画面には、ジョブの終了またはジョブのクリア等により「画像データ消去処理」が稼働している場合、即ちＨＤ１２（第１記憶部１２１及び／又は第２記憶部１２２）が記憶しているデータに対する消去処理が実行されている場合に、その旨を示す「データ消去中です。」とのメッセージが表示画面の略中央にウィンドウ表示される。
【０１２２】
この図１０に示す表示部４ｂの表示画面左下のアイコンＩＣの部分が指で押圧（タッチ）された場合、図１１に示す表示部４ｂの表示画面の略中央に、「画像データ消去処理」によるＨＤ１２（第１記憶部１２１及び／又は第２記憶部１２２）が記憶している画像データの消去処理を実行中である旨を示すメッセージ「データエリアを消去中です。」及びその進行状況がレベル表示される。これにより、「画像データ消去処理」による画像データの消去処理の動作状況が確認できる。
【０１２３】
また、「画像データ消去処理」によりＨＤ１２（第１記憶部１２１及び／又は第２記憶部１２２）が記憶している画像データの消去処理が実行されている場合には、アイコンＩＣを点滅させるかまたはアイコンＩＣの色を変更する等のような通常の表示形態とは異なる形態でアイコンＩＣを表示させることにより、「画像データ消去処理」が稼働中であることがユーザに直観的に理解されるようにすればより効果的である。
【０１２４】
次に、「画像データ消去処理」に関する操作設定について、図１２乃至図１５の表示部４ｂの表示画面の模式図を参照して説明する。
【０１２５】
なお、図１２は「画像データ消去処理」操作における詳細設定のための、図１３はデータ消去の確認ウィンドウが表示された場合の、図１４はＨＤ１２でのデータ消去作業の進行状況のレベル表示が行なわれている場合の、図１５は「ジョブ終了時の自動データ消去回数」設定画面の、それぞれ表示部４ｂの表示画面を示している。
【０１２６】
図１２に示す表示部４ｂの表示画面では、ＨＤ１２（第１記憶部１２１及び第２記憶部１２２）が記憶しているデータを任意のタイミングで強制的に消去処理する指示を与えるための「全データエリア消去」キーＫ１１、デジタル複合機２０の電源が投入される都度、ＨＤ１２が記憶している全てのデータの消去処理が実行されるように設定する「電源投入時の自動消去」キーＫ１２が表示される。なお、「電源投入時の自動消去」キーＫ１２が押圧（タッチ）された場合、付設されたチェックボックスにチェックマーク「レ」が表示される。
【０１２７】
また、図１２に示す表示部４ｂの表示画面では、「全データエリア消去」の消去処理回数を設定するための「全データエリア消去回数」キーＫ１３、「電源投入時の自動消去」の消去処理回数を設定するための「電源投入時の自動消去回数」キーＫ１４、ＨＤ１２（第１記憶部１２１及び／又は第２記憶部１２２）が記憶している画像データが印字処理された後、その画像データのみをＨＤ１２からの消去処理を実行する回数を設定する「ジョブ終了時の自動消去回数」キーＫ１５が表示される。
【０１２８】
これらの「全データエリア消去回数」キーＫ１３、「電源投入時の自動消去回数」キーＫ１４及び「ジョブ終了時の自動消去回数」キーＫ１５それぞれの右横直近の位置にはそれぞれのキーの操作により設定された回数が表示されるようになっている。但し、それぞれのデフォルト設定値は、「全データエリア消去回数」キーＫ１３及び「ジョブ終了時の自動消去回数」キーＫ１５では共に「１」であり、「電源投入時の自動消去回数」キーＫ１４では「０（ただし、図では「１」に変更されている）」である。
【０１２９】
上述のような各キーの操作によりセキュリティレベルに適した消去処理回数が設定されている場合には、ＨＤ１２（第１記憶部１２１及び／又は第２記憶部１２２）が記憶している画像データが不要になった時点で、設定されている消去処理回数分だけデータの消去処理が反復実行される。従って、本発明の画像処理装置であるデジタル複合機２０の設置場所に応じて必要とされるセキュリティレベルに応じた消去処理回数を設定することが可能になる。また、「全データエリア消去」キーＫ１１の操作により、ＨＤ１２が記憶している全ての画像データの消去処理を任意のタイミングで実行させる操作は、たとえばセキュリティレベルが非常に高い重要なデータをプリントアウト直後に直ちに消去したいような場合に非常に有効である。
【０１３０】
図１２に示す表示部４ｂの表示画面において「全データエリア消去」キーＫ１１が押圧（タッチ）されることによってＨＤ１２が記憶している全ての画像データの消去処理が実行される際には、図１３に示すように表示部４ｂの表示画面の略中央に確認ウィンドウＷ１１が表示される。この確認ウィンドウＷ１１には「消去しない」の操作ボタンＢ１１及び「消去する」の操作ボタンＢ１２が表示されるので、「消去する」の操作ボタンＢ１２が押圧（タッチ）されることにより、ＨＤ１２が記憶しているデータの消去処理が開始される。
【０１３１】
上述のようにしてＨＤ１２が記憶しているデータの消去処理が実際に開始されると、図１４に示すように、表示部４ｂの表示画面には処理の進行状況をレベル表示するためのウィンドウＷ１２が表示される。
【０１３２】
前述の図１２に示す表示部４ｂの表示画面において、「全データエリア消去回数」キーＫ１３、「ジョブ終了時の自動消去回数」キーＫ１５、または「電源投入時の自動消去回数」キーＫ１４が押圧（タッチ）された場合、表示部４ｂの表示画面には「全データエリア消去回数」、「ジョブ終了時の自動消去回数」、または「電源投入時の自動消去回数」の設定画面が表示される。図１５は一例として「全データエリア消去回数」キーＫ１３が押圧（タッチ）された場合の表示部４ｂの表示画面を示している。
【０１３３】
この図１５に示すように、たとえば「全データエリア消去回数」キーＫ１３が押圧（タッチ）された場合には、「アップ」キーＫ１６及び「ダウン」キーＫ１７が表示されるので、いずれかの操作により、任意に消去処理回数を設定することが可能になる。なお、他の「ジョブ終了時の自動消去回数」キーＫ１５、または「電源投入時の自動消去回数」キーＫ１４が図１２に示す表示部４ｂの表示画面において押圧（タッチ）された場合にも上述した「全データエリア消去回数」キーＫ１３が押圧（タッチ）された場合と同様に任意に消去処理回数を設定することが可能である。
【０１３４】
但し、「ジョブ終了時の自動消去」の処理に関しては「ジョブ終了時の自動消去回数」キーＫ１５が押圧（タッチ）されたか否かには拘わらず、デジタル複合機２０にデータセキュリティキットが装備されたことによって「画像データ消去機能」が稼働可能になった時点で自動的に設定される、換言すればデフォルトの「１」が自動消去の回数として設定されるようになっている。
【０１３５】
上述したデータセキュリティキットの各種機能の設定は、データセキュリティキットがデジタル複合機２０に装備されて「画像データ消去機能」が稼働可能になった状態で、デジタル複合機２０の設置場所において要求されるセキュリティレベルに応じて行なわれることが好ましい。また、「全データエリア消去」キーＫ１１の押圧（タッチ）により、その都度の必要に応じて、ＨＤ１２が記憶している全てのデータの消去処理を行なうことができる。また、消去回数を「０」に設定するなどして、消去処理を停止することも可能である。なお、操作パネル（切換手段）４で、消去処理の実行／停止に関する設定と同様に、例えば暗号化の実行／停止に関する設定を受付けることも可能である。上述した各種表示画面に関する情報は管理部１４に記憶されており、機器制御部８の制御によって表示部４ｂに表示される。また、上述した各種表示画面（操作パネル４）で受付けた設定情報は、機器制御部８の制御によって管理部１４に記憶される。
【０１３６】
なお、デジタル複合機２０は、プリンタ、ネットワークスキャナまたはＦＡＸとして使用する場合においても、前述したコピー機として使用した場合と同様の処理が行なえる。
【０１３７】
次に、本発明の画像処理装置としてのデジタル複合機２０のＨＤ１２の画像データの消去処理の一連の手順について、画像処理としてのコピー機能が設定されている場合の処理手順を一例として図１６及び図１７のフローチャートを参照して説明する。
【０１３８】
デジタル複合機２０の電源が投入（ＯＮ）されると、機器制御部８はまず装置を構成する各機器の状態をチェックする（ステップＳ３１）。このチェックの結果、異常がなければ（ステップＳ３２でＹＥＳ）、機器制御部８はデジタル複合機２０が所定の動作をすることが可能な状態となるように各機器のウォームアップを開始する（ステップＳ３３）。
【０１３９】
一方、各機器のチェックの結果、異常が確認された場合は（ステップＳ３２でＮＯ）、機器制御部８は確認された異常に対応した所定のエラー処理を行なう（ステップＳ３４）。このエラー処理としてはたとえば、表示部４ｂに異常が発生している場合であれば、表示部４ｂに異常発生が確認されたこと、及びその確認をユーザに求めるためのメッセージを含むウィンドウを表示するというような処理が可能である。
【０１４０】
上述のウォームアップの開始（ステップＳ３３）に際して、機器制御部８は電源投入時にＨＤ１２を初期化するための「電源投入時の自動消去モード」が設定（ＯＮ）されているか否かを次に確認する（ステップＳ３５）。この「電源投入時の自動消去モード」の設定は前述した如く、図１２に示した表示部４ｂの表示画面中の「電源投入時の自動消去」キーＫ１２の押圧（タッチ）により設定される。
【０１４１】
「電源投入時の自動消去モード」が設定されている場合は（ステップＳ３５でＹＥＳ）、機器制御部８はＨＤ１２の初期化を開始する（ステップＳ３６）と共に、ＨＤ１２が記憶している画像データの消去中であること（進行状況）を表示部４ｂの表示画面にウィンドウ表示する（ステップＳ３７）。この際、機器制御部８は、前述の図１２及び図１５に示した表示部４ｂの表示画面において予め設定されている消去処理回数分だけ、ＨＤ１２が記憶しているデータの消去処理を実行することにより初期化処理を反復する（ステップＳ３８）。この処理により、ＨＤ１２に記憶されている全ての画像データが消去される。
【０１４２】
ＨＤ１２のデータの消去処理が終了した場合（ステップＳ３８でＹＥＳ）、または「電源投入時の自動消去モード」が設定（ＯＮ）されていなかった場合（ステップＳ３５でＮＯ）、機器制御部８は表示部４ｂの表示画面を基本画面の表示状態とした後、各機器のウォームアップが完了するまで待機し（ステップＳ３９でＮＯ）、各機器のウォームアップが完了すると（ステップＳ３９でＹＥＳ）、ジョブ設定の待機状態になる（ステップＳ４０）。
【０１４３】
ステップＳ４０での待機状態中に、原稿が画像読み取り部２のセット位置に載置され、その原稿に対するコピー機能の設定が行なわれた上でコピースタートキー１６がオンされた場合（ステップＳ４１でＹＥＳ）、画像読み取り部２のＣＣＤ２ａにより原稿が光学的に走査され（ステップＳ４２）、この結果として得られた画像データを機器制御部８はメモリ６ａにページ単位で一旦記憶させる。そして、機器制御部８はメモリ６ａに記憶させた画像データをＨＤ１２へ転送させて第１記憶部１２１（場合によっては第２記憶部１２２）に記憶させると共に、ＨＤ１２に記憶させた画像データに関する管理情報（ＦＡＴデータ）を管理部１４に記憶させることにより、蓄積管理させる（ステップＳ４３）。
【０１４４】
機器制御部８は、上述のようにしてＨＤ１２に記憶させた画像データを画像形成（プリントアウト）のタイミングに合わせてＨＤ１２の第１記憶部１２１から読み出してメモリ６ａに、または第２記憶部１２２から第１記憶部１２１へ読み出して更にメモリ６ａにページ単位で記憶させることによりプリントデータの準備を行なう（ステップＳ４４）。必要な画像データがメモリ６ａに記憶されると、機器制御部８はその画像データを印字部６ｂ（ＬＳＵ：レーザ走査ユニット）へ転送してプリントアウトさせる（ステップＳ４５）。
【０１４５】
このようにして画像データがプリントアウトされたことが確認されると、その画像データに関して機器制御部８は管理部１４が記憶している管理データ（ＦＡＴデータ）を処理完了として更新し（ステップＳ４６）、また一連のプリント処理が完了した場合にはこの一連のプリント処理に使用された画像データのＨＤ１２での記憶領域に対して消去処理を実行する（ステップＳ４７）。この場合においても機器制御部８は、図１２及び図１５に示した表示部４ｂの設定画面により予め設定されている消去処理回数分だけ、ＨＤ１２が記憶している画像データの消去処理を実行することにより初期化処理を反復する（ステップＳ４８）。この後、デジタル複合機２０は再度待機状態になる（ステップＳ４９）。
【０１４６】
なお、本発明の画像処理装置としてのデジタル複合機２０は、プリンタ、ネットワークスキャナまたはＦＡＸとして使用する場合においても、前述したコピー機として使用した場合と同様に画像データを操作することが可能である。
【図面の簡単な説明】
【０１４７】
【図１】本発明に係る画像処理装置をデジタル複合機に適用した場合の実施の形態を示すブロック図である。
【図２】本発明に係る画像処理装置をデジタル複合機に適用した場合の操作パネルの構成例を示す模式図である。
【図３】本発明の画像処理装置としてのデジタル複合機にコピー機能が設定された場合の機器制御部による画像データの処理手順を示すフローチャートである。
【図４】本発明の画像処理装置としてのデジタル複合機にプリンタ機能が設定された場合の機器制御部による画像データの処理手順を示すフローチャートである。
【図５】本発明の画像処理装置としてのデジタル複合機にネットワークスキャナ機能が設定された場合の機器制御部による画像データの処理手順を示すフローチャートである。
【図６】本発明の画像処理装置としてのデジタル複合機にデータセキュリティキットが装備された場合の機能構成を示すブロック図である。
【図７】本発明の画像処理装置としてのデジタル複合機のコピー機能設定時のデータセキュリティキットが装備されていない場合の表示部の画面の表示状態を示す模式図である。
【図８】本発明の画像処理装置としてのデジタル複合機のコピー機能設定時のデータセキュリティキットが装備されている場合の表示部の画面の表示状態を示す模式図である。
【図９】本発明の画像処理装置としてのデジタル複合機のコピー機能設定時のデータセキュリティキットが装備されている状態において表示画面左下のアイコンの部分を指で押圧した場合の表示部の画面の表示状態を示す模式図である。
【図１０】本発明の画像処理装置としてのデジタル複合機のコピー機能設定時のデータセキュリティキットが装備されていて「画像データ消去処理」が機能している場合の表示部の画面の表示状態を示す模式図である。
【図１１】本発明の画像処理装置としてのデジタル複合機のコピー機能設定時のデータセキュリティキットが装備されている場合の図１０に示す状態において表示画面左下のアイコンの部分が指で押圧された場合の表示部の画面の表示状態を示す模式図である。
【図１２】本発明の画像処理装置としてのデジタル複合機のコピー機能設定時の「画像データ消去処理」操作における詳細設定のための表示部の表示画面の模式図である。
【図１３】本発明の画像処理装置としてのデジタル複合機のコピー機能設定時の「画像データ消去処理」操作におけるデータ消去の確認ウィンドウが表示された場合の表示部の表示画面の模式図である。
【図１４】本発明の画像処理装置としてのデジタル複合機のコピー機能設定時の「画像データ消去処理」操作におけるハードディスクでのデータ消去作業の進行状況のレベル表示が行なわれている場合の表示部の表示画面の模式図である。
【図１５】本発明の画像処理装置としてのデジタル複合機のコピー機能設定時の「各ジョブ終了時の自動データ消去回数」設定画面の表示部の表示画面の模式図である。
【図１６】本発明の画像処理装置としてのデジタル複合機ハードディスクの画像データの消去処理の一連の手順について、画像処理としてのコピー機能が設定されている場合の処理手順を一例として示すフローチャートである。
【図１７】本発明の画像処理装置としてのデジタル複合機ハードディスクの画像データの消去処理の一連の手順について、画像処理としてのコピー機能が設定されている場合の処理手順を一例として示すフローチャートである。
【符号の説明】
【０１４８】
２  画像読み取り部
４  操作パネル
６  画像形成部
６ａ  メモリ
８  機器制御部
９ａ，９ｂ  暗号化部
９ｃ  復号化部
１０  通信部
１２  ハードディスク
１４  管理部
２０  デジタル複合機
【図１】
2004282717.tif 000003
【図２】
2004282717.tif 000004
【図３】
2004282717.tif 000005
【図４】
2004282717.tif 000006
【図５】
2004282717.tif 000007
【図６】
2004282717.tif 000008
【図７】
2004282717.tif 000009
【図８】
2004282717.tif 000010
【図９】
2004282717.tif 000011
【図１０】
2004282717.tif 000012
【図１１】
2004282717.tif 000013
【図１２】
2004282717.tif 000014
【図１３】
2004282717.tif 000015
【図１４】
2004282717.tif 000016
【図１５】
2004282717.tif 000017
【図１６】
2004282717.tif 000018
【図１７】
2004282717.tif 000019